(57)【要約】【課題】腰部の固定機能を高めるとともに、装着後に身体装着用具をずれにくくする。【解決手段】腰ベルト４は、身体の正面の腹部から右側部、腰部及び左側部を通って前記腹部までに装着される。腰ベルト４は、身体の右側部から腰部を通って左側部までに配置される硬質の背面支持部材４２を有している。背面支持部材４２と身体との間には、腰部エアバッグ４１が配置されている。腰部エアバッグ４１は、身体の右側部から腰部を通って左側部まで配置されている。身体装着用具１を装着した時、背面支持部材４２は、腰部エアバッグ４１全体を覆っている。【選択図】図４
2017038815.tif 000002
【特許請求の範囲】
【請求項１】
身体の正面の腹部から一方の側部、腰部及び他方の側部を通って前記腹部までに装着される非伸縮性の帯状の腰ベルトと、
身体の一方の側部から腰部を通って他方の側部までに配置される腰部エアバッグとを備え、
前記腰ベルトは、身体の一方の側部から腰部を通って他方の側部までに配置されるとともに、身体とともに前記腰部エアバッグを挟んで配置される硬質の背面支持部材とを備え、
前記腰ベルトの両端部は、身体の正面で重ねて配置され、
前記背面支持部材の少なくとも一部が、前記腰部エアバッグを覆っていることを特徴とする身体装着用具。
【請求項２】
前記背面支持部材は、可撓性を有する板状部材であることを特徴とする請求項１に記載の身体装着用具。
【請求項３】
前記背面支持部材は、
ポンプに接続される接続口を有する袋体と、
前記袋体に充填された複数の粒状体とを備えていることを特徴とする請求項１に記載の身体装着用具。
【請求項４】
胸部に配置される胸部エアバッグと、
胸部とともに前記胸部エアバッグを挟んで配置される硬質の胸部支持部材と、
胸部支持部材に重ねて配置される非伸縮性の胸部ベルトとを備え、
前記胸部支持部材の少なくとも一部が、前記胸部エアバッグを覆っていることを特徴とする請求項１〜３のいずれか１項に記載の身体装着用具。
【請求項５】
前記胸部ベルトは、前記胸部支持部材と重なる位置で交差して配置される第１ベルト及び第２ベルトを有していることを特徴とする請求項４に記載の身体装着用具。
【請求項６】
前記身体装着用具は、
身体の上半身正面部で前開き可能に配置された右前身頃及び左前身頃と、
前記右前身頃及び前記左前身頃に接続された後身頃とを備え、
前記右前身頃及び前記左前身頃は、身体の上半身正面部、右側部及び左側部の少なくとも一部で脱着可能であり、
前記右前身頃と後身頃との間に装着者の腕を通す第１孔部が形成され、
前記左前身頃と後身頃との間に装着者の腕を通す第２孔部が形成され、
前記腰ベルトが、前記後身頃に接続されていることを特徴とする請求項１〜５のいずれか１項に記載の身体装着用具。
【発明の詳細な説明】
【技術分野】
【０００１】
本発明は、身体の腰部に装着される腰ベルトを備えた身体装着用具に関する。
【背景技術】
【０００２】
従来より、腰痛を予防したり、腰痛を緩和したりするため、コルセットが用いられている。コルセットには、軟性コルセットと硬性コルセットとがある。
【０００３】
軟性コルセットは伸縮性を有する素材によって形成されているが、固定機能が弱く、装着時にずれやすい。また、腰部を締め付けながら装着する必要があるため、装着時に力を要する。このため、お年寄りが装着しにくい。
【０００４】
一方、硬性コルセットは患者の体に合わせて石膏や樹脂等で形成されているため、固定機能が優れている。しかし、患者が一人で装着できない上に、装着後は患者が動きにくい。また、重量が重い。
【０００５】
このような問題を解決するため、特許文献１及び特許文献２では、空気圧を利用したコルセットが提案されている。特許文献１及び特許文献２では、複数のチューブを有するコルセットを腰部に装着し、チューブに気体を供給する。チューブが膨張することにより、腰部が圧迫されるため、腰部を固定したり牽引したりすることができる。また、チューブが身体にフィットすることにより、装着時にずれにくい。さらに、一人で装着することができ、装着後は、患者が動きやすい。また、空気圧を利用するため、重量が軽い。
【０００６】
さらに、特許文献１及び特許文献２では、複数のチューブを、伸縮性を有するシートで覆っている。これにより、チューブと身体との摩擦によるかぶれや擦傷を抑止することができる。
【先行技術文献】
【特許文献】
【０００７】
【特許文献１】特開平１１−２２６０４１号公報
【特許文献２】特開２０００−２８８００４号公報
【発明の概要】
【発明が解決しようとする課題】
【０００８】
しかしながら、特許文献１及び特許文献２のコルセットでは、腰部を十分に固定したり牽引したりすることができないことがわかった。これは、チューブに供給された気体が身体と反対側に流れることにより、チューブが身体と反対側に膨張し、身体側に十分に膨張しにくいことが原因であることがわかった。また、これにより装着時にコルセットがずれやすくなることもわかった。
【０００９】
なお、特許文献１及び特許文献２では、複数のチューブを、伸縮性を有するシートで覆っているが、チューブ内の気体が身体と反対側に流れて、チューブが身体と反対側にも膨張すると、それに伴ってシートも伸長する。このため、チューブ内の気体が身体と反対側に流れることを抑止することができない。したがって、チューブが身体側に十分に膨張しくいという問題を解決することができない。
【００１０】
そこで、本発明の目的は、腰部の固定機能を高めることができるとともに、装着後にずれにくい身体装着用具を提供することである。
【課題を解決するための手段】
【００１１】
本発明の身体装着用具は、身体の正面の腹部から一方の側部、腰部及び他方の側部を通って前記腹部までに装着される非伸縮性の帯状の腰ベルトと、身体の一方の側部から腰部を通って他方の側部までに配置される腰部エアバッグとを備え、前記腰ベルトは、身体の一方の側部から腰部を通って他方の側部までに配置されるとともに、身体とともに前記腰部エアバッグを挟んで配置される硬質の背面支持部材とを備え、前記腰ベルトの両端部は、身体の正面で重ねて配置され、前記背面支持部材の少なくとも一部が、前記腰部エアバッグを覆っている。
【００１２】
上記構成では、非伸縮性の腰ベルトを用い、腰部全体にエアバッグを配置するとともに腰部エアバッグを硬質の背面支持部材で覆っている。腰部エアバッグに気体を供給すると、背面支持部材によってエアバッグ内の気体が身体と反対側に流れることを抑止できるため、エアバッグが腰部全体に向かって膨張する。これにより腰部全体を適切な姿勢に固定することができるとともに、腰部の固定機能を高めることができる。また、身体装着用具が腰部全体にフィットし、装着後にずれにくい。
【００１３】
また、上記構成において、前記背面支持部材は、可撓性を有する板状部材であることが好ましい。背面支持部材として既存の可撓性を有する板状部材を用いた簡易な構成で上記効果が得られる。
【００１４】
さらに、上記構成において、前記背面支持部材は、ポンプに接続される接続口を有する袋体と、前記袋体に充填された複数の粒状体とを備えていることが好ましい。ポンプにより袋体内を減圧すると、粒状体によって背面支持部材が腰部全体に沿った形状に固まる。この背面支持部材と腰部との間に腰部エアバッグが配置されており、ここに気体を供給すると、腰部エアバッグが腰部全体によりフィットする。これにより、身体装着用具が身体からよりずれにくくなるとともに、腰部の固定機能を向上させることができる。
【００１５】
また、上記構成において、胸部に配置される胸部エアバッグと、胸部とともに前記胸部エアバッグを挟んで配置される硬質の胸部支持部材と、胸部支持部材に重ねて配置される非伸縮性の胸部ベルトとを備え、前記胸部支持部材の少なくとも一部が、前記胸部エアバッグを覆っていることが好ましい。
【００１６】
胸部エアバッグに気体を供給すると、胸部支持部材によりエアバッグ内の気体が身体と反対側に流れることを抑止できるため、エアバッグが胸部に向かって膨張する。また、胸部ベルトにより、胸部支持部材を胸部から離れにくくすることができるため、エアバッグ内の気体が胸部と胸部支持部材との間から上下方向や左右方向へ逃げることを抑止できる。これにより、エアバッグが身体（胸部）に向かって確実に膨張するため、胸部を適切な力で圧迫することができる。
したがって、腰ベルト及び腰部エアバッグにより腰部全体及び腹部を圧迫するのに加えて、胸部エアバッグにより胸部を圧迫することができる。上記３箇所（腰部、腹部及び胸部）を同時に圧迫することにより、肋骨を骨折した患者の身体を理想的な方法で固定することができる。
【００１７】
また、上記構成において、前記胸部ベルトは、前記胸部支持部材と重なる位置で交差して配置される第１ベルト及び第２ベルトを有していることが好ましい。第１ベルト及び第２ベルトを胸部支持部材と重なる位置で交差させることにより、胸部支持部材を胸部からより離れにくくすることができるため、胸部エアバッグ内の気体が、胸部と胸部支持部材との間から上下方向や左右方向に逃げることを抑止できる。これにより、胸部エアバッグを身体（胸部）に向かって確実に膨張させることができるため、胸部をより適切な力で圧迫することができる。
【００１８】
また、本発明の身体装着用具は、身体の上半身正面部で前開き可能に配置された右前身頃及び左前身頃と、前記右前身頃及び前記左前身頃に接続された後身頃とを備え、前記右前身頃及び前記左前身頃は、身体の上半身正面部、右側部及び左側部の少なくとも一部で脱着可能であり、前記右前身頃と後身頃との間に装着者の腕を通す第１孔部が形成され、前記左前身頃と後身頃との間に装着者の腕を通す第２孔部が形成され、前記腰ベルトが、前記後身頃に接続されていることが好ましい。
【００１９】
上記構成では、身体装着用具が前開きのベスト状に形成されている。使用者は、身体装着用具を前開きにした状態で装着し、正面で右前身頃及び左前身頃を重ね合わせ、腰部ベルトを巻くとよいため容易に装着することができる。また、装着時に大きな力を要しない。よって、お年寄りでも容易に装着することができる。
【発明の効果】
【００２０】
本発明によると、腰部の固定機能を高めることができるとともに、装着後にずれにくい身体装着用具を提供することができる。
【図面の簡単な説明】
【００２１】
【図１】第１実施形態に係る身体装着用具の正面図である。
【図２】第１実施形態に係る身体装着用具の背面図である。
【図３】身体装着用具を前開きにした状態における身体装着用具の内面（身体に対向する面）の模式図である。
【図４】（ａ）は装着者を右方から視た模式図であり、（ｂ）は装着者を後方から視た模式図である。
【図５】図４（ｂ）のV-V線に沿った断面図である。
【図６】（ａ）及び（ｂ）は第１実施形態に係る身体装着用具の装着方法を順に示す模式図である。
【図７】第２実施形態に係る身体装着用具の正面図である。
【図８】第２実施形態に係る身体装着用具の背面図である。
【図９】腰部エアバッグ、腰部支持部材、胸部エアバッグ、及び胸部支持部材とポンプとの関係を説明する模式図である。
【図１０】第２実施形態に係る身体装着用具の装着方法のフローチャートである。
【図１１】第２実施形態に係る身体装着用具の内部構造を示す模式図である。
【図１２】（ａ）は装着者を右方から視た模式図であり、（ｂ）は装着者を後方から視た模式図である。
【発明を実施するための形態】
【００２２】
以下、本発明の好適な実施形態について図を参照しつつ説明する。
【００２３】
〔第１実施形態〕
身体装着用具１は、図１に示すように、前身頃２と、後身頃３と、腰ベルト４と、腰ベルト４から垂れ下がるように撓んだ保持ベルト５とを備えている。
【００２４】
前身頃２は、身体の上半身正面部に配置され、主に装着者の右側に配置される右前身頃２１と、主に装着者の左側に配置される左前身頃２２とを有している。右前身頃２１と左前身頃２２は、身体の正面部において前開き可能となっている。右前身頃２１及び左前身頃２２は、互いに重なり合う部分に脱着可能な生地を有している。
【００２５】
右前身頃２１及び左前身頃２２は、後身頃３と接続されている。右前身頃２１と後身頃３との間には、装着者の右腕を通す第１孔部３１が形成されている。また、左前身頃２２と後身頃３との間には、装着者の左腕を通す第２孔部３２が形成されている。
【００２６】
腰ベルト４は、図２に示すように、後身頃３の下端部に接続されている。腰ベルト４は、後身頃３に取り外し可能に接続されていてもよい。
【００２７】
図３には、身体装着用具１を前開きさせた状態の、身体装着用具１の内面（身体と対向する側の面）を図示している。腰ベルト４は、帯状のベルト本体４０を有している。ベルト本体４０は、中央部４Ｃと、中央部４Ｃの両側に配置された右端部４Ｒ及び左端部４Ｌとを有している。中央部４Ｃは、少なくとも装着者の右側部から腰部を通って左側部までに配置される。
【００２８】
中央部４Ｃには、図示しない横長状のポケットが形成されている。ポケットには、横長状の腰部エアバッグ４１と、腰部エアバッグ４１よりやや大きい横長状の背面支持部材４２とが重ねて配置されている。腰部エアバッグ４１は、図３中、背面支持部材４２より手前に配置されている。ベルト本体４０と背面支持部材４２によって、腰ベルト４が形成されている。
【００２９】
中央部４Ｃは、中央付近（身体の背面に配置される部分）が左右両端部より上下方向に幅広に形成されている。また、腰部エアバッグ４１及び背面支持部材４２も、中央付近（身体の背面に配置される部分）が左右両端部より上下方向に幅広に形成されている。
【００３０】
ベルト本体４０は、非伸縮性の生地によって形成されている。非伸縮性の生地として、例えばポリエステル、ナイロンが挙げられる。腰ベルト４の右端部４Ｒ及び左端部４Ｌには、互いに重ね合わされる部分に、脱着可能な生地が取り付けられている。なお、右端部４Ｒ及び左端部４Ｌが、脱着可能な生地によって形成されていてもよい。
【００３１】
腰部エアバッグ４１の右端部（装着者の右側）には、空気供給口４１ａが形成されている。空気供給口４１ａには、ポンプ６が接続される。
【００３２】
背面支持部材４２には、可撓性を有する板状部材が用いられ、硬質である。ここで、硬質とは、腰部エアバッグ４１内の気圧によって変形しない程度に硬いことを示す。腰部エアバッグ４１内の気圧とは、気体が供給されたエアバッグ内の標準的な気圧であり、例えば２０００Ｐａ〜８０００Ｐａである。可撓性を有する板状部材として、例えば、プラスチックの板、発泡素材の板、発泡ポリエチレンによって形成された板を用いることができる。背面支持部材４２は、腰部エアバッグ４１よりやや大きいが、腰部エアバッグ４１と同等の大きさでもよい。
【００３３】
保持ベルト５は、図４（ａ）に示すように、装着者の尻部に引掛けるように配置される。保持ベルト５により、腰ベルト４がずれにくくなる。
【００３４】
身体装着用具１を装着した状態では、図４（ａ）及び図４（ｂ）に示すように、腰部エアバッグ４１と背面支持部材４２が、装着者の右側部から腰部を通って左側部までに配置される。また、腰部エアバッグ４１全体が背面支持部材４２に覆われる（図５参照）。
【００３５】
腰部エアバッグ４１に気体が供給された状態では、図５に示すように、硬質の背面支持部材４２によって腰部エアバッグ４１内の気体が身体と反対側へ移動することが妨げられる。これにより、腰部エアバッグ４１は主に身体側に膨張し、身体にフィットする。また、腰ベルト４が非伸縮性の素材から形成されていることによっても、腰部エアバッグ４１内の気体が身体と反対側へ移動することが妨げられる。
【００３６】
これにより、図４（ａ）に示すように、腰部には斜め上方向に向かった力Ｆ1が作用し、腹部には水平方向の力Ｆ2が作用する。よって、腰部全体を適切な姿勢に固定することができる。
【００３７】
また、腰部エアバッグ４１内の気体が上下方向に移動しようとすることにより、腰部が上下方向に牽引される。これにより装着者の姿勢を正しく整えることができる。
【００３８】
次に、身体装着用具１の装着方法を、図６を参照しつつ説明する。
【００３９】
先ず、腰部エアバッグ４１に気体が充填されていない状態で、身体装着用具１を前開きにし、身体装着用具１に使用者の腕を通す。そして、図４（ａ）に示すように、右前身頃２１と左前身頃２２を身体の正面で重ね合わせる。
【００４０】
次に、右前身頃２１と左前身頃２２の上から、腰ベルト４を腰部及び腹部に巻く。また、保持ベルト５を適切な位置（尻部の下方等）に配置する。そして、ポンプ６を腰部エアバッグ４１の空気供給口４１ａに接続し、腰部エアバッグ４１に空気を供給する（図４(ｂ)参照）。これにより、腰部エアバッグ４１が腰部に向けて膨張する。なお、ポンプ６は、身体装着用具１を装着する前から空気供給口４１ａに接続されていてもよい。
【００４１】
以上のように本実施形態によると以下の効果を奏する。
非伸縮性の腰ベルト４を用い、身体の右側部から腰部を通って左側部までの腰部全体に腰部エアバッグ４１を配置するとともに腰部エアバッグ４１を硬質の背面支持部材４２で覆っている。腰部エアバッグ４１に気体を供給すると、背面支持部材４２によって腰部エアバッグ４１内の気体が身体と反対側に流れることを抑止できるため、腰部エアバッグ４１が装着者の腰部全体に向かって膨張する。これにより腰部全体を適切な姿勢に固定することができるとともに、腰部の固定機能を高めることができる。また、身体装着用具１が腰部全体にフィットし、装着後にずれにくい。
【００４２】
また、背面支持部材４２として既存の可撓性を有する板状部材を用いた簡易な構成で上記効果が得られる。
【００４３】
また、身体装着用具１は前開きのベスト状に形成されているため、使用者が身体装着用具を装着しやすい。また、装着時に力を要さないため、お年寄りでも容易に装着することができる。
【００４４】
〔第２実施形態〕
次に、本発明の第２実施形態について、図７〜図１２を参照しつつ説明する。第２実施形態において第１実施形態と異なる点は、胸部エアバッグと第１ベルト及び第２ベルトとを備えている点である。なお、上述した第１実施形態と同一の構成については同一の符号を用い、その説明を適宜省略する。
【００４５】
身体装着用具１０１は、図７に示すように、前身頃２と、後身頃３と、腰ベルト１０４と、保持ベルト５と、胸部の正面中央付近に配置された胸部支持体１７０と、胸部支持体１７０と重なる位置で交差された第１ベルト１８１及び第２ベルト１８２と備えている。
【００４６】
第１ベルト１８１及び第２ベルト１８２は、装着者の正面において右肩部及び左肩部から胸部支持体１７０と重なる位置を通って胸部支持体１７０の下方まで延在している。また、第１ベルト１８１及び第２ベルト１８２は、装着者の背面において、図８に示すように中央付近で交差され、腰部ベルトに沿って装着者の腹部に巻き付けられる。第１ベルト１８１及び第２ベルト１８２は、非伸縮性の生地によって形成されており、前身頃２及び腰ベルト１０４に脱着可能である。第１ベルト１８１及び第２ベルト１８２には、例えば、ポリエステル製の布状のベルトが用いられる。
【００４７】
腰ベルト１０４は、帯状のベルト本体（第１実施形態のベルト本体４０(図３参照)）を有している。ベルト本体の中央部には、図示しない横長状のポケットが形成されている。ポケットには、横長状の腰部エアバッグ４１と、腰部エアバッグ４１よりやや大きい横長状の背面支持部材１４２とが重ねて配置されている（図８参照）。背面支持部材１４２は、身体とともに腰部エアバッグ４１を挟んで配置される。ベルト本体と背面支持部材１４２によって、腰ベルト１０４が形成されている。
【００４８】
背面支持部材１４２は、横長状に形成されている。背面支持部材１４２は、図９に示すように、非伸縮性の袋体２０１と、袋体２０１内に充填された複数の粒状体２０２とを有している。袋体２０１には、ポンプ６が接続される接続口２０１ａが形成されている。粒状体には、発泡スチロール等を用いることができる。
【００４９】
図７に戻って、胸部支持体１７０は、収納袋１７１と、収納袋１７１に収納された胸部エアバッグ１７２及び胸部支持部材１７３とを有している。胸部支持部材１７３は、身体とともに胸部エアバッグ１７２を挟んで配置される。胸部支持体１７０は、前身頃２（図７では右前身頃２１）に貼り付けられる。収納袋１７１には右前身頃２１に脱着可能なテープ（図示せず）が取り付けられている。
【００５０】
胸部エアバッグ１７２は、袋体によって形成されている。胸部エアバッグ１７２には、ポンプ６が接続される空気供給口１７２ａが形成されている。
【００５１】
胸部支持部材１７３は、胸部エアバッグ１７２と同等の大きさ又は胸部エアバッグ１７２よりやや大きい形状である。
【００５２】
胸部支持部材１７３は、図９に示すように、非伸縮性の袋体２１１と、袋体２１１内に充填された複数の粒状体２１２とを有している。袋体２１１には、ポンプ６が接続される接続口２１１ａが形成されている。粒状体には、発泡スチロール等を用いることができる。
【００５３】
次に、身体装着用具１０１の装着方法を、図１０のフローチャートに沿って説明する。
【００５４】
先ず、腰部エアバッグ４１及び胸部エアバッグ１７２に気体が充填されていない状態で、身体装着用具１０１を前開きにし、身体装着用具１０１に腕を通す。そして、右前身頃２１と左前身頃２２を身体の正面で重ね合わせる（図１０のＳ１、図７参照）。その後、右前身頃２１と左前身頃２２の上から、腰ベルト４を腰部から腹部に巻き付ける（図１０のＳ２）。また、保持ベルト５を適切な位置（尻部の下方等）に配置する。
【００５５】
そして、胸部支持体１７０が身体の胸部中心付近に配置されるように、胸部支持体１７０の位置を調整する（図１０のＳ３）。例えば、胸部支持体１７０を左右の肋骨の中心付近に配置する。
【００５６】
続いて、第１ベルト１８１の一端部と第２ベルト１８２の一端部を胸部支持体１７０と重なる位置で交差させ（図１０のＳ４）、胸部支持体１７の下方で前身頃２に貼り付ける。第１ベルト１８１及び第２ベルト１８２は胸部支持体１７の上方及び下方で前身頃２に貼り付けられている。また、装着者の背面で交差させた第１ベルト１８１の他端部と第２ベルト１８２の他端部を引張り（図１０のＳ５、図８参照）、腰ベルト４に沿って腹部に巻き付けながら腰ベルト４に貼り付ける（図１１参照）。これにより、装着者の姿勢を正しく整えることができる。
【００５７】
次に、背面支持部材１４２の袋体２０１の接続口２０１ａにポンプ６を接続し（図９参照）、袋体２０１内を減圧する（図１０のＳ６、図１１参照）。これにより、背面支持部材１４２が腰部に沿った形状となる。また、粒状体２０２が密接し、背面支持部材１４２が硬質の部材となる。ここで、硬質とは、腰部エアバッグ４１内の気圧によって変形しない程度に硬いことを示す。腰部エアバッグ４１内の気圧とは、気体が供給されたエアバッグ内の標準的な気圧であり、例えば２０００Ｐａ〜８０００Ｐａである。
【００５８】
その後、腰部エアバッグ４１の空気供給口４１ａにポンプ６を接続し（図９参照）、腰部エアバッグ４１に気体を供給する（図１０のＳ７）。硬質の背面支持部材１４２により、腰部エアバッグ４１内の気体が身体と反対側に移動することが妨げられ、腰部エアバッグ４１が主に腰部に向かって膨張する（図１１参照）。
【００５９】
続いて、胸部支持部材１７３の袋体２１１の接続口２１１ａにポンプ６を接続し（図９参照）、袋体２１１内を減圧する（図１０のＳ８、図１１参照）。これにより、胸部支持部材１７３が胸部に沿った形状となる。また、粒状体２１２が密接し、胸部支持部材１７３が硬質の部材となる。ここで、硬質とは、胸部エアバッグ１７２内の気圧によって変形しない程度に硬いことを示す。胸部エアバッグ１７２内の気圧とは、気体が供給されたエアバッグ内の標準的な気圧であり、例えば２０００Ｐａ〜８０００Ｐａである。
【００６０】
その後、胸部エアバッグ１７２の空気供給口１７２ａにポンプ６を接続し（図９参照）、胸部エアバッグ１７２に気体を供給する（図１０のＳ９）。硬質の胸部支持部材１７３により、胸部エアバッグ１７２内の気体が身体と反対側に移動することが妨げられ、胸部エアバッグ１７２は主に胸部に向かって膨張する（図１１参照）。また、第１ベルト１８１と第２ベルト１８２が、胸部支持部材１７３と重なる位置で交差して配置されていることにより、胸部エアバッグ１７２内の空気が上下方向や左右方向に逃げることが妨げられる。これにより、胸部エアバッグ１７２は確実に胸部に向かって膨張するため、胸部が適切な力で圧迫される。
【００６１】
身体装着用具１を装着した状態では、図１２（ａ）及び図１２（ｂ）に示すように、腰部エアバッグ４１と背面支持部材１４２が、装着者の右側部から腰部を通って左側部までに配置される。また、腰部エアバッグ４１全体が背面支持部材１４２に覆われている。
【００６２】
腰部エアバッグ４１が腰部全体に向かって膨張することにより、腰部には斜め上方向に向かった力Ｆ1が作用する。また、腹部に向けた水平方向の力Ｆ2が作用する（図１２(ａ)参照）。これにより、腰部が必要な力で確実に固定される。
【００６３】
また、胸部エアバッグ１７２が胸部を圧迫することにより、胸部に向けた力Ｆ3が作用する（図１２(ａ)参照）。
【００６４】
これにより、腰部、腹部及び胸部の３箇所を同時に圧迫することができるため、肋骨を骨折した患者の身体を理想的な方法で固定することができる。
【００６５】
上記構成により、腰部の固定機能を高めることができる。また、身体装着用具１０１が装着後にずれにくい。さらに、胸部支持体１７０により胸部を適切な力で圧迫することができるため、腰部、腹部及び胸部の３箇所を同時に圧迫することができる。これにより、肋骨を骨折した患者に好適な身体装着用具１０１を提供することができる。
【００６６】
また、第１ベルト１８１及び第２ベルト１８２を胸部支持体１７０の上方から胸部支持体１７０を通って胸部支持体１７０の下方まで配置させるとともに、胸部支持体１７と重なる位置で交差させている。また、胸部支持体１７０の上下において、第１ベルト１８１及び第２ベルト１８２を前身頃２に貼り付けている。これにより、胸部支持体１７０を胸部からより離れにくくすることができるため、胸部エアバッグ１７２内の気体が、胸部と胸部支持体１７０との間から上下方向や左右方向に逃げることを抑止できる。これにより、胸部エアバッグ１７２を身体（胸部）に向かって確実に膨張させることができるため、胸部をより適切な力で圧迫することができる。
【００６７】
また、背面支持部材１４２が袋体２０１とそれに充填された粒状体２０２とを有しており、袋体２０１内を減圧すると、粒状体２０２によって背面支持部材１４２が腰部全体に沿った形状に固まる。この状態で腰部エアバッグ４１に気体を供給すると、腰部エアバッグ４１が腰部全体によりフィットする。これにより、身体装着用具の腰ベルト４が腰部からよりずれにくくなるとともに、腰部の固定機能をより高めることができる。
【００６８】
また、胸部支持部材１７３が袋体２１１とそれに充填された粒状体２１２とを有しており、袋体２１１内を減圧すると、粒状体２１２によって胸部支持部材１７３が胸部に沿った形状に固まる。この状態で胸部エアバッグ１７２に気体を供給すると、胸部エアバッグ１７２が胸部によりフィットする。これにより、身体装着用具の胸部支持体１７０が胸部からよりずれにくくなるとともに、胸部を適切な力で確実に圧迫することができる。
【００６９】
以上、本発明の実施形態及び実施例について図面に基づいて説明したが、具体的な構成は、これらの実施形態及び実施例に限定されるものでないと考えられるべきである。本発明の範囲は上記した説明ではなく特許請求の範囲によって示され、特許請求の範囲と均等の意味及び範囲内でのすべての変更が含まれる。
【００７０】
上述の第１実施形態では、前開きのベスト形状の身体装着用具１を例示したが、身体装着用具はベスト形状でなくてもよい。例えば、前身頃２及び後身頃３を備えておらず、腰ベルト４及び腰部エアバッグ４１から構成されていてもよい。また、保持ベルト５を備えていない構成としてもよい。
【００７１】
また、上述の第１実施形態では、背面支持部材４２に可撓性を有する板状部材を用いたが、背面支持部材４２に第２実施形態の背面支持部材１４２、つまり袋体２０１と袋体２０１に充填された粒状体２０２とを有する背面支持部材を用いてもよい。
【００７２】
また、第２実施形態では、背面支持部材１４２及び胸部支持部材１７３に、袋体２０１,２１１と袋体２０１,２１１に充填された粒状体２０２,２１２とを有する背面支持部材を用いたが、背面支持部材１４２及び胸部支持部材１７３に可撓性を有する板状部材を用いてもよい。
【００７３】
また、第２実施形態では、第１ベルト１８１及び第２ベルト１８２を胸部支持体１７０と重なる位置で交差して配置したが、一本のベルトだけを用い、そのベルトを胸部支持体１７０と重なる位置に配置し、胸部支持体１７０を挟む２箇所で前身頃２に貼り付けてもよい。この構成によっても、胸部エアバッグ１７２内の気体が胸部と胸部支持部材１７３との間から上下方向や左右方向に移動しようとすることを抑止できるため、胸部を適切な力で圧迫することができる。
【００７４】
また、第１実施形態及び第２実施形態では、腰部エアバッグ４１が横長状に形成され、身体の右側部から腰部を通って左側部まで１つのエアバッグで形成されているが、複数の小型のエアバッグが身体の右側部から腰部を通って左側部まで並んで配置されていてもよい。
【００７５】
また、第１実施形態及び第２実施形態では、腰ベルト４,１０４のベルト本体４０の中央部４Ｃにポケットが形成され、ポケットに腰部エアバッグ４１及び背面支持部材４２,１４２が配置されているが、腰部エアバッグ４１及び背面支持部材４２,１４２はベルト本体４０にテープや接着剤で貼り付けられていてもよい。また、背面支持部材４２,１４２は、ベルト本体４０に貼り付けられた腰部エアバッグ４１に貼り付けられてもよい。
【００７６】
さらに、第１実施形態及び第２実施形態では、ベルト本体４０の中央部４Ｃのポケットに背面支持部材４２,１４２が配置されているが、腰ベルト４,１０４の構成は本構成に限られず、変更可能である。例えば、背面支持部材４２,１４２の左右両端部にベルト本体４０の左端部４Ｌ及び右端部４Ｒが接続されていてもよい。この場合、腰部エアバッグ４１が背面支持部材４２,１４２に直接貼り付けられていてもよい。
【００７７】
また、上述の第２実施形態では、身体装着用具１０１を装着する方法として、腰ベルト４を巻き、胸部支持体１７０を胸部に配置した後、背面支持部材１４２の袋体２０１を減圧し（図１０のＳ６）、腰部エアバッグ４１に気体を供給した後（図１０のＳ７）、胸部支持部材１７３の袋体２１１を減圧し（図１０のＳ８）、胸部エアバッグ１７２に気体を供給したが（図１０のＳ９）、これらの順は変更可能である。エアバッグ（腰部エアバッグ４１、胸部エアバッグ１７２）に気体を供給する前に、エアバッグを覆う支持部材の袋体（背面支持部材１４２の袋体２０１、胸部支持部材１７３の袋体２１１）を減圧する限り、下記のような順で装着してもよい。
例えば、背面支持部材１４２の袋体２０１を減圧し（図１０のＳ６）、胸部支持部材１７３の袋体２１１を減圧した後に（図１０のＳ８）、腰部エアバッグ４１に空気を供給し（図１０のＳ７）、胸部エアバッグ１７２に空気を供給してもよい（図１０のＳ９）。また、胸部支持部材１７３の袋体２１１を減圧し（図１０のＳ８）、胸部エアバッグ１７２に空気を供給した後に（図１０のＳ９）、背面支持部材１４２の袋体２０１を減圧し（図１０のＳ６）、腰部エアバッグ４１に空気を供給してもよい（図１０のＳ７）。
【符号の説明】
【００７８】
１,１０１         身体装着用具
２                前身頃
３                後身頃
４                腰ベルト
２１              右前身頃
２２              左前身頃
３１              第１孔部
３２              第２孔部
４１              腰部エアバッグ
４２,１４２       背面支持部材
１０４            腰ベルト
１７０            胸部支持体
１７２            胸部エアバッグ
１７３            胸部支持部材
１８１            第１ベルト（胸部ベルト）
１８２            第２ベルト（胸部ベルト）
２０１,２１１     袋体
２０２,２１２     粒状体
【図１】
2017038815.tif 000003
【図２】
2017038815.tif 000004
【図３】
2017038815.tif 000005
【図４】
2017038815.tif 000006
【図５】
2017038815.tif 000007
【図６】
2017038815.tif 000008
【図７】
2017038815.tif 000009
【図８】
2017038815.tif 000010
【図９】
2017038815.tif 000011
【図１０】
2017038815.tif 000012
【図１１】
2017038815.tif 000013
【図１２】
2017038815.tif 000014